(57)【特許請求の範囲】
【請求項１】
感光ドラムと、前記感光ドラムの周面からトナーを除去するためのクリーナと、前記クリーナにより除去されたトナーを搬送するための搬送管と、を備えるドラムカートリッジと、
前記ドラムカートリッジに着脱可能な現像カートリッジであって、前記感光ドラムにトナーを供給するための現像ローラを備え、前記感光ドラムに供給するためのトナーを収容するための現像カートリッジと、
前記現像カートリッジと接続されている廃トナー容器であって、前記現像カートリッジとともに前記ドラムカートリッジに着脱可能な廃トナー容器であって、前記搬送管により搬送されたトナーを収容するための廃トナー容器と、
前記現像カートリッジと前記廃トナー容器との間に位置し、前記現像カートリッジを前記感光ドラムに向けて押圧可能な押圧部材と
を備え、
前記廃トナー容器は、前記現像カートリッジおよび前記廃トナー容器が前記ドラムカートリッジに装着されているときに、前記現像カートリッジに対して、前記感光ドラムの反対側に位置することを特徴とする、プロセスカートリッジ。
【請求項２】
前記廃トナー容器は、前記ドラムカートリッジに対して前記廃トナー容器を係止するための係止部であって、前記ドラムカートリッジに対して前記廃トナー容器が係止した状態となる第１位置と、前記ドラムカートリッジに対して前記廃トナー容器が係止していない状態となる第２位置との間を移動可能な係止部を有し、
前記ドラムカートリッジ、前記現像カートリッジおよび前記廃トナー容器は、前記係止部が前記第１位置に位置するときに、画像形成装置に対して一体として着脱可能であり、
前記廃トナー容器は、前記係止部が前記第２位置に位置するときに、前記ドラムカートリッジに対して着脱可能である
ことを特徴とする、請求項１に記載のプロセスカートリッジ。
【請求項３】
前記ドラムカートリッジは、溝を有し、
前記係止部は、前記溝に嵌まるように構成される突起であることを特徴とする、請求項２に記載のプロセスカートリッジ。
【請求項４】
前記廃トナー容器は、前記突起を、前記第１位置と前記第２位置とに切り替え可能な切替部を備えることを特徴とする、請求項３に記載のプロセスカートリッジ。
【請求項５】
前記廃トナー容器は、ユーザが把持するための把持部を備え、
前記切替部は、前記把持部に備えられる
ことを特徴とする、請求項４に記載のプロセスカートリッジ。
【請求項６】
前記突起は、前記感光ドラムの軸線方向において、間隔を隔てて設けられる第１突起および第２突起を備えることを特徴とする、請求項３〜５のいずれか一項に記載のプロセスカートリッジ。
【請求項７】
前記廃トナー容器は、前記押圧部材を備えることを特徴とする、請求項１〜６のいずれか一項に記載のプロセスカートリッジ。
【請求項８】
前記現像カートリッジは、前記押圧部材を備えることを特徴とする、請求項１〜６のいずれか一項に記載のプロセスカートリッジ。
【請求項９】
前記押圧部材は、ばねであることを特徴とする、請求項７または８に記載のプロセスカートリッジ。
【請求項１０】
前記現像カートリッジおよび前記廃トナー容器は、前記ドラムカートリッジに対して、前記感光ドラムの軸線方向と直交する方向において、着脱可能であり、
前記搬送管は、前記現像カートリッジおよび前記廃トナー容器の前記ドラムカートリッジに対する着脱方向に延びる
ことを特徴とする、請求項１〜９のいずれか一項に記載のプロセスカートリッジ。
【請求項１１】
前記感光ドラムは、静電潜像を形成可能な感光層を備え、
前記現像カートリッジは、
第１壁と、
前記感光ドラムの軸線方向において、前記感光層を挟んで前記第１壁と向かい合う第２壁と、を備えることを特徴とする、請求項１〜１０のいずれか一項に記載のプロセスカートリッジ。
【請求項１２】
前記廃トナー容器は、
前記軸線方向と直交する方向において、前記現像カートリッジと重なる本体部と、
前記本体部から突出する突出部であって、前記軸線方向において、前記第１壁に対して、前記感光層と反対側に位置する突出部と、を有することを特徴とする、請求項１１に記載のプロセスカートリッジ。
【請求項１３】
前記搬送管は、前記廃トナー容器が前記ドラムカートリッジに装着されているときに、前記突出部に接続されることを特徴とする、請求項１２に記載のプロセスカートリッジ。
【請求項１４】
前記現像カートリッジは、前記現像ローラへ印加される電力を受け取るための電気接点を備え、
前記搬送管は、前記現像カートリッジが前記ドラムカートリッジに装着されているときに、前記軸線方向において、前記第１壁に対して、前記第２壁の反対側に位置し、
前記電気接点は、前記現像カートリッジが前記ドラムカートリッジに装着されているときに、前記軸線方向において、前記搬送管に対して、前記第１壁の反対側に位置することを特徴とする、請求項１１〜１３のいずれか一項に記載のプロセスカートリッジ。
【請求項１５】
前記廃トナー容器は、前記現像ローラへ印加される電力を受け取るための電気接点を備え、
前記搬送管は、前記現像カートリッジが前記ドラムカートリッジに装着されているときに、前記軸線方向において、前記第１壁に対して、前記第２壁の反対側に位置し、
前記電気接点は、前記廃トナー容器が前記ドラムカートリッジに装着されているときに、前記軸線方向において、前記搬送管に対して、前記第１壁の反対側に位置することを特徴とする、請求項１１〜１３のいずれか一項に記載のプロセスカートリッジ。
【請求項１６】
前記搬送管は、前記現像カートリッジが前記ドラムカートリッジに装着されているときに、前記軸線方向において、前記第１壁に対して、前記第２壁の反対側に位置し、
前記ドラムカートリッジは、
前記現像カートリッジが前記ドラムカートリッジに装着されているときに、前記軸線方向において、前記第１壁に対して、前記第２壁と反対側に位置する第３壁と、
前記現像カートリッジが前記ドラムカートリッジに装着されているときに、前記軸線方向において、前記第３壁に対して、前記第１壁と反対側に位置する第４壁と、
前記第３壁と前記第４壁とを連結する第５壁であって、前記軸線方向と直交する方向において、前記廃トナー容器の少なくとも一部と向かい合い、前記廃トナー容器を位置決めする第５壁と
を備えることを特徴とする、請求項１１〜１５のいずれか一項に記載のプロセスカートリッジ。
【請求項１７】
前記ドラムカートリッジは、前記感光ドラムの軸線方向に延び、用紙を搬送可能な搬送ローラを備え、
前記搬送ローラは、前記軸線方向と直交する方向において、前記クリーナと前記廃トナー容器との間に位置し、
前記搬送管は、前記搬送ローラの上方に位置することを特徴とする、請求項１〜１６のいずれか一項に記載のプロセスカートリッジ。
【請求項１８】
前記ドラムカートリッジは、前記ドラムカートリッジに対する前記現像カートリッジの着脱を案内する現像ガイドを備え、
前記搬送管は、前記現像ガイドに沿って延びる
ことを特徴とする、請求項１〜１７のいずれか一項に記載のプロセスカートリッジ。
【請求項１９】
開口を有する装置本体と、
前記装置本体に対して、前記開口を介して着脱可能な請求項１〜１８のいずれか一項に記載のプロセスカートリッジと、を備えることを特徴とする、画像形成装置。
【請求項２０】
トナー像を定着するように構成される定着器をさらに備え、
前記廃トナー容器は、前記感光ドラムの軸線方向と直交する方向において、前記感光ドラムに対して、前記定着器の反対側に位置することを特徴とする、請求項１９に記載の画像形成装置。
【発明の詳細な説明】
【技術分野】
【０００１】
本発明は、プロセスカートリッジおよび画像形成装置に関する。
【背景技術】
【０００２】
従来より、プロセスカートリッジと、定着器と、を備える画像形成装置が知られている。
【０００３】
このような画像形成装置では、プロセスカートリッジは、感光ドラムを有するカートリッジと、現像ローラを有するカートリッジとが分離するように構成されている。
【０００４】
また、定着器は、感光ドラムに対して、現像ローラの反対側に位置し、感光ドラムを通過した用紙にトナー像を定着するように構成されている。
【０００５】
そして、このようなプロセスカートリッジでは、感光ドラムの周面の廃トナーは、クリーニングブレードによって掻き落とされる。廃トナーは、感光ドラムと定着器との間に位置する廃トナー容器に貯留される（例えば、特許文献１参照）。
【先行技術文献】
【特許文献】
【０００６】
【特許文献１】米国特許２０１２／００３９６２２
【発明の概要】
【発明が解決しようとする課題】
【０００７】
しかるに、上記した特許文献１に記載の画像形成装置では、廃トナー容器が感光ドラムと定着器との間に位置しているので、廃トナー容器の大きさに制限がある。
【０００８】
そうすると、廃トナー容器が廃トナーを収容しきれなくなる不具合がある。
【０００９】
そこで、本発明の目的は、感光ドラムから除去された廃トナーが、十分に収容されるプロセスカートリッジおよび画像形成装置を提供することにある。
【課題を解決するための手段】
【００１０】
本発明のプロセスカートリッジおよび画像形成装置は、感光ドラムと、感光ドラムの周面からトナーを除去するためのクリーナと、クリーナにより除去されたトナーを搬送するための搬送管と、を備えるドラムカートリッジと、ドラムカートリッジに着脱可能な現像カートリッジであって、感光ドラムにトナーを供給するための現像ローラを備え、感光ドラムに供給するためのトナーを収容するための現像カートリッジと、ドラムカートリッジに着脱可能な廃トナー容器であって、搬送管により搬送されたトナーを収容するための廃トナー容器と、を備え、廃トナー容器は、現像カートリッジおよび廃トナー容器がドラムカートリッジに装着されているときに、現像カートリッジに対して、感光ドラムの反対側に位置する。
【００１１】
このような構成によれば、廃トナー容器は、現像カートリッジおよび廃トナー容器がドラムカートリッジに装着されているときに、現像カートリッジに対して感光ドラム側ではなく、現像カートリッジに対して感光ドラムの反対側に位置する。
【００１２】
そのため、用紙に画像を形成するための機能部品が、現像カートリッジに対して感光ドラム側に位置することができながら、廃トナー容器の容量が確保される。
【００１３】
その結果、廃トナー容器は、感光ドラムの周面から除去されたトナーを十分に収容することができる。
【発明の効果】
【００１４】
本発明のプロセスカートリッジおよび画像形成装置によれば、感光ドラムから除去されたトナーが、廃トナー容器に十分に収容される。
【図面の簡単な説明】
【００１５】
【図１】図１は、本発明の第１実施形態のプロセスカートリッジを備える画像形成装置の中央断面図である。
【図２】図２Ａは、図１に示す現像カートリッジおよび廃トナー容器の中央断面図である。図２Ｂは、図１に示す現像カートリッジおよび廃トナー容器の側断面図である。
【図３】図３は、図２Ａに示す現像カートリッジおよび廃トナー容器の平面図である。
【図４】図４は、図１に示すドラムカートリッジの側断面図である。
【図５】図５は、図４に示すドラムカートリッジの平面図である。
【図６】図６は、図１に示すプロセスカートリッジの中央断面図である。
【図７】図７は、図６に示すプロセスカートリッジの側断面図である。
【図８】図８は、図７に示すプロセスカートリッジの平面図であって、係止部が第１位置に位置した状態を示す。
【図９】図９は、図７に示すプロセスカートリッジの平面図であって、係止部が第２位置に位置した状態を示す。
【図１０】図１０は、装置本体に対するプロセスカートリッジの着脱を説明するための説明図である。
【図１１】図１１は、ドラムカートリッジに対する現像カートリッジの着脱を説明するための説明図である。
【図１２】図１２は、本発明の第２実施形態におけるプロセスカートリッジの側断面図である。
【図１３】図１３は、本発明の第３実施形態におけるプロセスカートリッジの側断面図である。
【図１４】図１４は、本発明の第４実施形態におけるプロセスカートリッジの側断面図である。
【図１５】図１５は、本発明の第５実施形態における現像カートリッジおよび廃トナー容器の平面図である。
【発明を実施するための形態】
【００１６】
１．画像形成装置１の概略
図１に示すように、画像形成装置１は、装置本体２と、装置本体２に対して着脱可能なプロセスカートリッジ３と、転写ローラ１８と、定着器３３と、を備える。
【００１７】
１．１  装置本体２
装置本体２は、開口５と、カバー６と、を有する。
【００１８】
開口５は、プロセスカートリッジ３が装置本体２に装着されているときに、装置本体２に対するプロセスカートリッジ３の着脱方向において、プロセスカートリッジ３に対して、定着器３３の反対側に位置する。
【００１９】
カバー６は、開口５を閉鎖する閉位置（図１参照）と、開口５を開放する開位置（図１０参照）との間を移動可能である。
【００２０】
１．２  プロセスカートリッジ３
プロセスカートリッジ３は、装置本体２に対して、開口５を介して、着脱可能である。プロセスカートリッジ３は、ドラムカートリッジ７と、現像カートリッジ８と、廃トナー容器２９と、を備える。
【００２１】
１．２．１  ドラムカートリッジ７
ドラムカートリッジ７は、感光ドラム１７を備える。
【００２２】
感光ドラム１７は、回転軸線Ａを中心として回転可能である。
【００２３】
１．２．２  現像カートリッジ８
現像カートリッジ８は、感光ドラム１７に供給するためのトナーを収容する。現像カートリッジ８は、ドラムカートリッジ７に対して、着脱可能である。具体的には、現像カートリッジ８は、ドラムカートリッジ７に対して、感光ドラム１７の軸線方向と直交する方向において、着脱可能である。現像カートリッジ８は、プロセスカートリッジ３が装置本体２に装着されているときに、着脱方向において、感光ドラム１７に対して、定着器３３の反対側に位置する。なお、プロセスカートリッジ３は、装置本体２に対して、ドラムカートリッジ７に対する現像カートリッジ８の着脱方向において、開口５を介して着脱可能である。
【００２４】
現像カートリッジ８は、アジテータ６８と、現像ローラ２５と、を備える。
【００２５】
アジテータ６８は、現像カートリッジ８の内部に位置する。アジテータ６８は、現像カートリッジ８内のトナーを撹拌する。
【００２６】
現像ローラ２５は、感光ドラム１７に接触する。現像ローラ２５は、現像カートリッジ８内のトナーを感光ドラム１７に供給する。
【００２７】
１．２．３  廃トナー容器２９
廃トナー容器２９は、感光ドラム１７から除去されたトナーを収容する。廃トナー容器２９は、ドラムカートリッジ７に対して、着脱可能である。
【００２８】
１．３  転写ローラ１８
転写ローラ１８は、感光ドラム１７と接触する。転写ローラ１８は、感光ドラム１７に担持されるトナー像を、用紙Ｐに転写する。
【００２９】
１．４  定着器３３
定着器３３は、プロセスカートリッジ３が装置本体２に装着されているときに、着脱方向において、プロセスカートリッジ３に対して、カバー６の反対側に位置する。定着器３３は、用紙Ｐに転写されたトナー像を、用紙Ｐに定着させる。
【００３０】
２．現像カートリッジ８の詳細
２．１  第１壁２８Ａおよび第２壁２８Ｂ
現像カートリッジ８は、図２Ａおよび図３に示すように、第１壁２８Ａと、第２壁２８Ｂと、を備える。
【００３１】
第１壁２８Ａと第２壁２８Ｂとは、軸線方向において、互いに間隔を隔てて位置する。第１壁２８Ａは、軸線方向において、現像カートリッジ８の一端部に位置する。第２壁２８Ｂは、軸線方向において、現像カートリッジ８の他端部に位置する。第２壁２８Ｂは、軸線方向において、感光ドラム１７の後述する感光層１７Ｃを挟んで第１壁２８Ａと向かい合う。
【００３２】
第１壁２８Ａは、突出部３１を備える。
【００３３】
突出部３１は、図２Ｂに示すように、着脱方向において、アジテータ６８に対して、現像ローラ２５の反対側に位置する。突出部３１は、図２Ｂおよび図３に示すように、軸線方向において、第２壁２８Ｂから離れるように突出する。
【００３４】
第２壁２８Ｂは、第１壁２８Ａと同様に、突出部３１を備える。
【００３５】
２．２  現像ローラ２５
現像ローラ２５は、図２Ａおよび図３に示すように、軸線方向に延びる。現像ローラ２５の一部は、現像カートリッジ８から露出している。現像ローラ２５は、シャフト２５Ａと、ローラ本体２５Ｂと、を備える。
【００３６】
シャフト２５Ａは、軸線方向に沿って延びる。シャフト２５Ａは、円柱形状を有する。シャフト２５Ａの一端は、第１壁２８Ａに支持される。シャフト２５Ａの他端は、第２壁２８Ｂに支持される。
【００３７】
ローラ本体２５Ｂは、シャフト２５Ａの周囲に設けられる。ローラ本体２５Ｂは、トナーを担持するための周面を有する。ローラ本体２５Ｂは、シャフト２５Ａとともに回転可能である。ローラ本体２５Ｂは、第１壁２８Ａと第２壁２８Ｂとの間に位置する。ローラ本体２５Ｂは、感光ドラム１７の周面に接触する。なお、ローラ本体２５Ｂは、感光ドラム１７の周面と接触せず、ジャンピング現像により、感光ドラム１７の周面にトナーを供給してもよい。
【００３８】
２．３  電極７９および軸受８２
現像カートリッジ８は、図２Ｂおよび図３に示すように、さらに、電極７９と、軸受８２と、を備える。
【００３９】
電極７９は、軸線方向において、第１壁２８Ａに対して、第２壁２８Ｂの反対側に位置する。電極７９は、電気接点８０と、軸受８１と、を備える。
【００４０】
電気接点８０は、第１壁２８Ａに設けられる。電気接点８０は、画像形成装置１の図示しない電源から、現像ローラ２５へ印加される電力を受け取る。電気接点８０は、軸線方向において、第１壁２８Ａに対して、第２壁２８Ｂの反対側に突出する。
【００４１】
軸受８１は、電気接点８０と接続されている。軸受８１は、軸線方向において、シャフト２５Ａの一端部に嵌まる。軸受８１は、軸線方向において、第１壁２８Ａに対して、ローラ本体２５Ｂの反対側に位置する。
【００４２】
そして、電極７９では、図示しない電源が電気接点８０と接触し、電力が、軸受８１を介して、現像ローラ２５に対して印加される。
【００４３】
軸受８２は、軸線方向において、シャフト２５Ａの他端部に嵌まる。軸受８２は、軸線方向において、第２壁２８Ｂに対して、ローラ本体２５Ｂの反対側に位置する。
【００４４】
３．廃トナー容器２９の詳細
３．１  廃トナー容器２９の配置
廃トナー容器２９は、図１に示すように、着脱方向において、現像カートリッジ８と並んでいる。廃トナー容器２９は、現像カートリッジ８および廃トナー容器２９がドラムカートリッジ７に装着されているときに、現像カートリッジ８に対して、感光ドラム１７の反対側に位置する。廃トナー容器２９は、着脱方向において、感光ドラム１７に対して、定着器３３の反対側に位置する。言い換えると、廃トナー容器２９は、感光ドラム１７の軸線方向と直交する方向において、感光ドラム１７に対して、定着器３３の反対側に位置する。
【００４５】
また、廃トナー容器２９は、装置本体２に対するプロセスカートリッジ３の着脱方向において、ドラムカートリッジ７に対して、着脱可能である。言い換えると、廃トナー容器２９は、ドラムカートリッジ７に対して、感光ドラム１７の軸線方向と直交する方向において、着脱可能である。
【００４６】
３．２  廃トナー容器２９の構成
廃トナー容器２９の容量は、現像カートリッジ８の容量に対して、例えば、５％以上、好ましくは、１０％以上であり、例えば、５０％以下、好ましくは、３０％以下である。そのため、廃トナー容器２９の容量の上限が概算される。
【００４７】
廃トナー容器２９は、図２Ｂおよび図３に示すように、本体部７０と、突出部７１と、シャッタ７３と、ばね７４と、アーム３６Ａと、アーム３６Ｂと、押圧部材の一例としてのばね３７と、を備える。
【００４８】
３．２．１  本体部７０
本体部７０は、着脱方向において、現像カートリッジ８と重なる。本体部７０は、着脱方向において、現像カートリッジ８と重なる。本体部７０は、突起３０を備える。
【００４９】
突起３０は、軸線方向において、本体部７０から突出する。突起３０は、本体部７０に対して、突出部７１と反対側に突出する。
【００５０】
３．２．２  突出部７１
突出部７１は、軸線方向において、第１壁２８Ａよりも突出する。突出部７１は、本体部７０から突出する。突出部７１は、本体部７０と連通している。突出部７１は、図８に示すように、現像カートリッジ８および廃トナー容器２９がドラムカートリッジ７に装着されているときに、軸線方向において、現像カートリッジ８の第１壁２８Ａに対して、感光ドラム１７の感光層１７Ｃの反対側に位置する。また、突出部７１は、図２Ｂおよび図３に示すように、軸線方向において、電極７９の軸受８１よりも突出する。突出部７１は、第１端面と、着脱方向において第１端面と反対側の第２端面と、を有する。第１端面は、第２端面よりも現像ローラ２５の近くに位置する。突出部７１は、受入筒７６を備える。
【００５１】
受入筒７６は、着脱方向において、突出部７１の第１端面から第２端面に向かって延びる。受入筒７６は、円筒形状を有する。受入筒７６は、一端部と、着脱方向において一端部と反対側の他端部と、を有する。受入筒７６の一端部は、開放されている。受入筒７６の他端部は、閉鎖されている。受入筒７６は、受入口７７を備える。
【００５２】
受入口７７は、廃トナー容器２９がトナーを受け入れるための口である。受入口７７は、受入筒７６の周面を、着脱方向と交差する交差方向に貫通する。好ましくは、受入口７７は、受入筒７６の下端部の周面を貫通する。
【００５３】
また、突出部７１は、本体部７０と同様に、突起３０を備える。
【００５４】
３．２．３  シャッタ７３およびばね７４
シャッタ７３は、図２Ｂに示すように、受入筒７６内に位置する。シャッタ７３は、着脱方向に沿って、受入口７７を閉鎖する閉鎖位置（図２Ｂ参照）と、受入口７７を開放する開放位置（図７参照）との間を、移動可能である。
【００５５】
ばね７４は、シャッタ７３と、受入筒７６の他端部の内面との間に位置する。ばね７４は、シャッタ７３を常には、閉鎖位置に位置するように、受入筒７６の他端部から受入筒７６の一端部に向けて、付勢する。
【００５６】
３．２．４  アーム３６Ａ、アーム３６Ｂ、および、ばね３７
アーム３６Ａとアーム３６Ｂとは、図２Ｂおよび図３に示すように、軸線方向において、互いに間隔を隔てて位置する。
【００５７】
アーム３６Ａは、着脱方向において、突出部７１から、現像カートリッジ８に向かって延びる。アーム３６Ａは、軸線方向において、受入筒７６と第１壁２８Ａとの間に位置する。アーム３６Ａは、軸線方向において、第１壁２８Ａと並ぶ。アーム３６Ａは、穴３９を有する。
【００５８】
穴３９は、アーム３６Ａを軸線方向に貫通する。穴３９は、着脱方向に延びる。
【００５９】
アーム３６Ｂは、軸線方向において、現像カートリッジ８に対して、アーム３６Ａの反対側に位置する。アーム３６Ｂは、着脱方向において、本体部７０から現像カートリッジ８に向かって延びる。アーム３６Ｂは、軸線方向において、第２壁２８Ｂと並ぶ。アーム３６Ｂは、アーム３６Ａと同様に、穴３９を有する。
【００６０】
そして、アーム３６Ａの穴３９が、第１壁２８Ａの突出部３１を受け入れ、アーム３６Ｂの穴３９が、第２壁２８Ｂの突出部３１を受け入れる。
【００６１】
これにより、廃トナー容器２９は、現像カートリッジ８に対して、突出部３１を支点として、回動可能、かつ、着脱方向にスライド移動可能に接続されている。
【００６２】
ばね３７は、本体部７０と、現像カートリッジ８との間に位置する。ばね３７は、図６に示すように、現像カートリッジ８および廃トナー容器２９がドラムカートリッジ７に装着されているときに、現像カートリッジ８を感光ドラム１７に向けて押圧可能である。
【００６３】
４．ドラムカートリッジ７の詳細
４．１  側壁４１Ａおよび側壁４１Ｂ
ドラムカートリッジ７は、図４および図５に示すように、側壁４１Ａと、側壁４１Ｂと、を備える。
【００６４】
側壁４１Ａと側壁４１Ｂとは、軸線方向において、互いに間隔を隔てて位置する。側壁４１Ａおよび側壁４１Ｂは、着脱方向に延びる。側壁４１Ａおよび側壁４１Ｂは、板形状を有する。側壁４１Ａは、感光ドラム１７の軸線方向における一端を支持する。側壁４１Ｂは、感光ドラム１７の軸線方向における他端を支持する。
【００６５】
側壁４１Ａは、第１現像ガイド４５を有する。
【００６６】
第１現像ガイド４５は、着脱方向において、感光ドラム１７に対して、後述するクリーナ２１の反対側に位置する。第１現像ガイド４５は、着脱方向に沿って延びる。第１現像ガイド４５は、着脱方向において、感光ドラム１７に対して、後述するクリーナ２１の反対側に向かって開放される。
【００６７】
側壁４１Ｂは、図５および図６に示すように、第２現像ガイド４６を有する。
【００６８】
第２現像ガイド４６は、第１現像ガイド４５と同じ形状を有する。
【００６９】
第１現像ガイド４５は、図７および図８に示すように、現像カートリッジ８がドラムカートリッジ７に装着されているときに、電極７９の軸受８１を受け入れる。第１現像ガイド４５は、ドラムカートリッジ７に対する現像カートリッジ８の着脱において、軸受８１を介して、現像ローラ２５を案内する。
【００７０】
第２現像ガイド４６は、図６および図８に示すように、現像カートリッジ８がドラムカートリッジ７に装着されているときに、軸受８２を受け入れる。第２現像ガイド４６は、ドラムカートリッジ７に対する現像カートリッジ８の着脱において、軸受８２を介して、現像ローラ２５を案内する。
【００７１】
４．２  感光ドラム１７
感光ドラム１７は、現像カートリッジ８がドラムカートリッジ７に装着されているときに、着脱方向において、後述するクリーナ２１と、現像カートリッジ８との間に位置する。感光ドラム１７は、図４および図５に示すように、円筒部１７Ａと、ドラムシャフト１７Ｂと、を備える。
【００７２】
円筒部１７Ａは、軸線方向に延びる。円筒部１７Ａは、軸線方向において、側壁４１Ａと側壁４１Ｂとの間に位置する。円筒部１７Ａの周面は、静電潜像を形成可能な感光層１７Ｃである。
【００７３】
ドラムシャフト１７Ｂは、軸線方向に延びる。軸線方向において、ドラムシャフト１７Ｂの一端は、側壁４１Ａに回転可能に支持される。また、軸線方向において、ドラムシャフト１７Ｂの一端は、側壁４１Ａよりも突出する。軸線方向において、ドラムシャフト１７Ｂの他端は、側壁４１Ｂに回転可能に支持される。軸線方向において、ドラムシャフト１７Ｂの他端は、側壁４１Ｂよりも突出する。
【００７４】
４．３  搬送ローラ５７およびハンドル５８
ドラムカートリッジ７は、さらに、搬送ローラ５７と、ハンドル５８と、を備える。
【００７５】
４．３．１  搬送ローラ５７
搬送ローラ５７は、図１に示すように、用紙Ｐを、画像形成装置１に設けられるローラとの間を通過させ、感光ドラム１７と転写ローラ１８との間まで、搬送可能である。搬送ローラ５７は、着脱方向において、感光ドラム１７に対して、定着器３３の反対側に位置する。搬送ローラ５７は、着脱方向において、後述するクリーナ２１と廃トナー容器２９との間に位置する。搬送ローラ５７は、図５に示すように、軸線方向に延びる。軸線方向において、搬送ローラ５７の一端部は、支持部材５７Ａを介して、ドラムカートリッジ７に支持される。軸線方向において、搬送ローラ５７の一端部は、側壁４１Ａよりも突出する。軸線方向において、搬送ローラ５７の他端部は、支持部材５７Ｂを介して、ドラムカートリッジ７に支持される。軸線方向において、搬送ローラ５７の他端部は、側壁４１Ｂよりも突出する。
【００７６】
４．３．２  ハンドル５８
ハンドル５８は、着脱方向において、搬送ローラ５７に対して、感光ドラム１７の反対側に位置する。ハンドル５８は、側壁４１Ａおよび側壁４１Ｂに、相対回転可能に支持される。
【００７７】
５．トナーを搬送するための構成
５．１  クリーナ２１
ドラムカートリッジ７は、さらに、クリーナ２１を備える。
【００７８】
クリーナ２１は、感光ドラム１７の周面からトナーを除去する。クリーナ２１は、図６に示すように、現像カートリッジ８がドラムカートリッジ７に装着されているときに、着脱方向において、感光ドラム１７に対して、現像カートリッジ８の反対側に位置する。クリーナ２１は、図５および図６に示すように、クリーニングフレーム５０と、クリーニング部材５１と、を備える。
【００７９】
クリーニングフレーム５０は、軸線方向に延びる。クリーニングフレーム５０は、中空筒状を有する。軸線方向において、クリーニングフレーム５０の一端は、側壁４１Ａに接続される。軸線方向において、クリーニングフレーム５０の他端は、側壁４１Ｂに接続される。クリーニングフレーム５０は、図６に示すように、開口５０Ａを有する。
【００８０】
開口５０Ａは、クリーニングフレーム５０において、感光ドラム１７と向かい合う。開口５０Ａは、軸線方向に延びる。開口５０Ａは、クリーニングフレーム５０を着脱方向に貫通する。
【００８１】
クリーニング部材５１は、板形状を有する。クリーニング部材５１は、開口５０Ａの縁に固定される。クリーニング部材５１は、感光ドラム１７の周面に接触する。具体的には、クリーニング部材５１は、感光ドラム１７と転写ローラ１８との接触部分よりも感光ドラム１７の回転方向の下流の周面と接触する。
【００８２】
そして、クリーナ２１では、クリーニング部材５１が、感光ドラム１７の周面から、用紙Ｐに転写されずに残存するトナーを掻き取る。掻き取られたトナーは、開口５０Ａを介して、クリーニングフレーム５０内に受け入れられ、貯留するように構成される。なお、クリーニングフレーム５０内に貯留されたトナーは、搬送管２２を介して、後述する搬送部材５３が回転することによって、廃トナー容器２９に向けて搬送される。
【００８３】
５．２  第３壁４２、第４壁４３および第５壁４４
側壁４１Ａは、図５に示すように、第３壁４２と、第４壁４３と、第５壁４４と、を備える。
【００８４】
第３壁４２は、図８に示すように、現像カートリッジ８がドラムカートリッジ７に装着されているときに、軸線方向において、現像カートリッジ８の第１壁２８Ａに対して、第２壁２８Ｂの反対側に位置する。第３壁４２は、着脱方向に延びる。第３壁４２は、着脱方向において、感光ドラム１７に近い一端と、一端と反対であり、感光ドラム１７から遠い他端と、を有する。
【００８５】
第４壁４３は、現像カートリッジ８および廃トナー容器２９がドラムカートリッジ７に装着されているときに、軸線方向において、第３壁４２に対して、現像カートリッジ８の第１壁２８Ａの反対側に位置する。第４壁４３は、軸線方向において、廃トナー容器２９と並ぶ。第４壁４３は、感光ドラム１７に近い一端と、一端と反対であり、感光ドラム１７から遠い他端と、を有する。
【００８６】
第５壁４４は、第３壁４２の他端と第４壁４３の一端とを連結する。第５壁４４は、軸線方向に延びる。第５壁４４は、現像カートリッジ８および廃トナー容器２９がドラムカートリッジ７に装着されているときに、着脱方向において、廃トナー容器２９の突出部７１と向かい合う。第５壁４４は、廃トナー容器２９を位置決めする。第５壁４４は、図５および図７に示すように、穴４４Ａを有する。
【００８７】
穴４４Ａは、第５壁４４を着脱方向に貫通する。
【００８８】
５．３  搬送管２２、搬送部材５３、シャッタ６５、および、ばね６６
ドラムカートリッジ７は、図４および図５に示すように、搬送管２２と、搬送部材５３と、シャッタ６５と、ばね６６と、をさらに備える。
【００８９】
５．３．１  搬送管２２
搬送管２２は、クリーナ２１により除去されたトナーを搬送する。搬送管２２は、図７および図８に示すように、現像カートリッジ８がドラムカートリッジ７に装着されているときに、クリーナ２１のクリーニングフレーム５０と、廃トナー容器２９とを連結する。搬送管２２は、現像カートリッジ８および廃トナー容器２９のドラムカートリッジ７に対する着脱方向に延びる。
【００９０】
搬送管２２は、現像カートリッジ８がドラムカートリッジ７に装着されているときに、軸線方向において、現像カートリッジ８の第１壁２８Ａに対して、第２壁２８Ｂの反対側に位置する。
【００９１】
感光ドラム１７の周面から除去されたトナーは、搬送管２２の内部を通過する。搬送管２２は、図４および図５に示すように、円筒形状を有する。搬送管２２は、着脱方向において、クリーニングフレーム５０から、側壁４１Ａの第５壁４４まで延びる。具体的には、搬送管２２は、第１端部２２Ａと、第２端部２２Ｂと、を有する。また、搬送管２２は、円環部６４と、排出口６３と、を有する。
【００９２】
第１端部２２Ａは、着脱方向において、感光ドラム１７に近い搬送管２２の端部である。第１端部２２Ａは、軸線方向において、クリーナ２１と重なる。第１端部２２Ａは、側壁４１Ａと接続される。第１端部２２Ａは、クリーニングフレーム５０と連通する。
【００９３】
第２端部２２Ｂは、着脱方向において、第１端部２２Ａと反対側の搬送管２２の端部である。第２端部２２Ｂは、第５壁４４の穴４４Ａに挿通されている。第２端部２２Ｂは、第５壁４４よりも、感光ドラム１７から離れる方向に突出している。
【００９４】
円環部６４は、着脱方向において、第５壁４４よりも感光ドラム１７の近くに位置する。円環部６４は、搬送管２２の周面から突出する。円環部６４は、搬送管２２の径方向に延びる。円環部６４は、円環形状を有する。
【００９５】
排出口６３は、着脱方向において、第５壁４４に対して、感光ドラム１７よりも遠くに位置する。排出口６３は、搬送管２２の周面を貫通する。排出口６３は、好ましくは、搬送管２２の下端部の周面を貫通する。排出口６３は、トナーを排出可能である。
【００９６】
そして、搬送管２２は、図７および図８に示すように、現像カートリッジ８および廃トナー容器２９がドラムカートリッジ７に装着されているときに、着脱方向に沿って、突出部７１の受入筒７６に嵌まる。つまり、これにより、搬送管２２は、廃トナー容器２９の突出部７１に接続される。このとき、搬送管２２の排出口６３と、受入筒７６の受入口７７とは、向かい合う。搬送管２２の排出口６３は、受入筒７６の受入口７７と連通する。
【００９７】
なお、搬送管２２は、現像カートリッジ８がドラムカートリッジ７に装着されているときに、軸線方向において、電極７９の電気接点８０の側壁４１Ａから離れた端部よりも、側壁４１Ａの近くに位置する。言い換えると、電気接点８０は、軸線方向において、搬送管２２よりも突出する。
【００９８】
搬送管２２は、現像カートリッジ８がドラムカートリッジ７に装着されているときに、軸線方向において、ドラムシャフト１７Ｂの側壁４１Ａから離れた端部よりも、側壁４１Ａの近くに位置する。言い換えると、ドラムシャフト１７Ｂは、軸線方向において、搬送管２２よりも突出する。
【００９９】
また、搬送管２２は、搬送ローラ５７と第１現像ガイド４５との間に位置する。つまり、搬送管２２は、搬送ローラ５７の上方に位置する。
【０１００】
また、搬送管２２は、現像カートリッジ８がドラムカートリッジ７に装着されているときに、軸線方向において、電気接点８０の側壁４１Ａから離れた端部よりも、側壁４１Ａの近くに位置する。言い換えると、電気接点８０は、現像カートリッジ８がドラムカートリッジ７に装着されているときに、軸線方向において、搬送管２２に対して、第１壁２８Ａの反対側に位置する。
【０１０１】
５．３．２  搬送部材５３
搬送部材５３は、図４および図５に示すように、クリーニングフレーム５０内において、軸線方向に延びる。さらに、搬送部材５３は、搬送管２２内において、装着方向に延びる。搬送部材５３は、螺旋状を有する。搬送部材５３の一端部は、クリーニングフレーム５０における側壁４１Ｂに、搬送ギア５３Ａを介して、回転可能に支持される。搬送部材５３は、回転することで、クリーニングフレーム５０および搬送管２２内のトナーを搬送可能である。搬送部材５３の一端部と反対側の他端部は、搬送管２２の第２端部２２Ｂに回転可能に支持される。搬送部材５３の他端部は、排出口６３と向かい合う。
【０１０２】
そして、搬送部材５３は、搬送ギア５３Ａが画像形成装置１の図示しない駆動源からの駆動力を受けることにより、回転する。
【０１０３】
５．３．３  シャッタ６５およびばね６６
シャッタ６５は、搬送管２２の第２端部２２Ｂの周縁を覆う。シャッタ６５は、円筒形状を有する。シャッタ６５は、搬送管２２に沿って、排出口６３を閉鎖する閉鎖位置（図４参照）と、閉鎖位置よりも、円環部６４の近くに位置し、排出口６３を開放する開放位置（図７参照）との間を、移動可能である。
【０１０４】
ばね６６は、シャッタ６５と、円環部６４との間に位置する。ばね６６の一端部はシャッタ６５と接触し、ばね６６の他端部は円環部６４と接触する。ばね６６は、シャッタ６５を、常には、閉鎖位置に向けて付勢する。
【０１０５】
５．３．４  ガイド溝６７
側壁４１Ａは、ガイド溝６７を有する。
【０１０６】
ガイド溝６７は、側壁４１Ａの第４壁４３に設けられる。ガイド溝６７は、第４壁４３の内、軸線方向において、側壁４１Ｂと対向する面に位置する。ガイド溝６７は、着脱方向において、感光ドラム１７に対してクリーナ２１と反対側に向かって開放されている。着脱方向におけるガイド溝６７の長さは、搬送管２２が第５壁４４の穴４４Ａから突出する長さよりも長い。
【０１０７】
側壁４１Ｂは、側壁４１Ａと同様に、ガイド溝６７を有する。
【０１０８】
６．ドラムカートリッジ７に対して廃トナー容器２９を係止および係止解除する構成
６．１  溝８８
ドラムカートリッジ７の側壁４１Ｂは、溝８８を有する。
【０１０９】
側壁４１Ｂは、着脱方向において、感光ドラム１７を支持する一端と、一端と反対であり、感光ドラム１７から遠い他端と、を有する。溝８８は、側壁４１Ｂの他端に位置する。溝８８は、鉛直方向において、ガイド溝６７の上方に位置する。溝８８は、ガイド部８９と、トナーカートリッジ１５の後述するロッド９８Ｂが嵌まる穴９０と、を有する。
【０１１０】
ガイド部８９は、軸線方向において、側壁４１Ｂから離れる方向に向かって窪む。ガイド部８９は、着脱方向に延びる。ガイド部８９は、着脱方向において、感光ドラム１７に近い一端と、一端と反対であり、感光ドラム１７から遠い他端と、を有する。ガイド部８９の他端は、着脱方向において、開放されている。
【０１１１】
穴９０は、溝８８の一端に位置する。穴９０は、側壁４１Ｂから離れる方向に向かって窪む。穴９０は、軸線方向において、ガイド部８９よりも、側壁４１Ａから離れた位置まで窪む。
【０１１２】
側壁４１Ａの第４壁４３は、側壁４１Ｂと同様に、溝８８を有する。
【０１１３】
６．２  把持部９４
廃トナー容器２９は、図２Ａおよび図３に示すように、ユーザが把持するための把持部９４を、さらに備える。
【０１１４】
把持部９４は、着脱方向において、本体部７０に対して、現像カートリッジ８の反対側に位置する。把持部９４は、固定部９６と、切替部９７と、ロッド９８Ａと、ロッド９８Ｂと、を備える。
【０１１５】
固定部９６は、第１グリップ１０１と、外壁１０２Ａと、外壁１０２Ｂと、内壁１０３Ａと、内壁１０３Ｂと、を備える。
【０１１６】
第１グリップ１０１は、本体部７０に対して、現像カートリッジ８の反対側に位置する。第１グリップ１０１は、軸線方向に延びる。第１グリップ１０１は、断面略半円形状を有する。
【０１１７】
外壁１０２Ａと外壁１０２Ｂとは、軸線方向に互いに間隔を隔てて位置する。外壁１０２Ａは、図３に示すように、着脱方向において、第１グリップ１０１と突出部７１とを連結する。外壁１０２Ｂは、着脱方向において、第１グリップ１０１と本体部７０とを連結する。
【０１１８】
内壁１０３Ａと内壁１０３Ｂとは、軸線方向において、外壁１０２Ａおよび外壁１０２Ｂとの間に位置する。内壁１０３Ａと内壁１０３Ｂとは、軸線方向に互いに間隔を隔てて位置する。内壁１０３Ａは、着脱方向において、第１グリップ１０１と本体部７０とを連結する。内壁１０３Ｂは、着脱方向において、第１グリップ１０１と本体部７０とを連結する。
【０１１９】
切替部９７は、軸線方向において、内壁１０３Ａと内壁１０３Ｂとの間に位置する。切替部９７は、着脱方向において、本体部７０と第１グリップ１０１との間に位置する。切替部９７は、固定部９６の内壁１０３Ａおよび内壁１０３Ｂに、移動可能に支持される。切替部９７は、着脱方向に移動可能である。切替部９７は、第２グリップ１０７と、壁１０８Ａと、壁１０８Ｂと、連結部１０９と、２つのばね１１０と、を有する。
【０１２０】
第２グリップ１０７は、着脱方向において、本体部７０と第１グリップ１０１との間に位置する。第２グリップ１０７は、軸線方向に延びる。第２グリップ１０７は、断面略半円形状を有する。第２グリップ１０７は、軸線方向において、内壁１０３Ａに近い一端と、一端と反対であり、内壁１０３Ｂに近い他端と、を有する。
【０１２１】
壁１０８Ｂは、着脱方向において、第２グリップ１０７の他端から、本体部７０に向かって延びる。壁１０８Ｂは、着脱方向において、第２グリップ１０７と連続する一端と、
一端と反対であり、本体部７０に近い他端と、を有する。壁１０８Ｂは、図２Ａおよび図３に示すように、傾斜部１１４と、穴１１５と、を有する。
【０１２２】
傾斜部１１４は、壁１０８Ｂの他端に位置する。傾斜部１１４は、軸線方向において、壁１０８Ｂから壁１０８Ａに向かって突出する。傾斜部１１４は、壁１０８Ａに向かうにつれて、本体部７０側に傾斜する。傾斜部１１４は、着脱方向において、第２グリップ１０７に近い一端と、一端と反対であり、連結部１０９に近い他端と、を有する。
【０１２３】
穴１１５は、壁１０８Ｂの他端に位置する。穴１１５は、壁１０８Ｂを軸線方向に貫通する。穴１１５は、着脱方向に延びる。穴１１５は、傾斜部１１４と重なる。
【０１２４】
壁１０８Ａは、着脱方向において、第２グリップ１０７の一端から本体部７０に向かって延びる。壁１０８Ａは、壁１０８Ｂと同様に、傾斜部１１４と、穴１１５と、を有する。なお、軸線方向において、壁１０８Ａの傾斜部１１４の一端と、壁１０８Ｂの傾斜部１１４の一端との距離は、壁１０８Ａの傾斜部１１４の他端と、壁１０８Ｂの傾斜部１１４の他端との距離よりも長い。
【０１２５】
連結部１０９は、壁１０８Ａの他端と、壁１０８Ｂの他端とを連結する。連結部１０９は、軸線方向に延びる。
【０１２６】
２つのばね１１０は、第２グリップ１０７と、固定部９６の第１グリップ１０１との間に位置する。２つのばね１１０は、軸線方向に互いに間隔を隔てて位置する。ばね１１０は、着脱方向に延びるコイルばねである。ばね１１０の一端は、第１グリップ１０１と接触する。ばね１１０の他端は、第２グリップ１０７と接触する。ばね１１０は、切替部９７を、常には、第１グリップ１０１から離れるように、本体部７０へ向けて、付勢する。
【０１２７】
ロッド９８Ａは、図３に示すように、外壁１０２Ａおよび内壁１０３Ａに対して、軸線方向に相対移動可能に支持される。ロッド９８Ａは、外壁１０２Ａと内壁１０３Ａとを貫通する。ロッド９８Ａは、軸線方向に延びる。ロッド９８Ａは、軸線方向において、外壁１０２Ａに近い一端と、一端と反対であり、内壁１０３Ａに近い他端と、を有する。ロッド９８Ａは、係止部１１８と、ボス１１９と、円環部１２０と、ばね１２１と、を備える。
【０１２８】
ロッド９８Ａの係止部１１８は、第１突起の一例である。係止部１１８は、ロッド９８Ａの一端に位置する。係止部１１８は、ロッド９８Ａの一端から他端に向かうにつれて、本体部７０に傾斜するように切り欠かれる。係止部１１８は、図８および図９に示すように、現像カートリッジ８および廃トナー容器２９がドラムカートリッジ７に装着されているときに、第１位置（図８参照）と、第２位置（図９参照）との間を移動可能である。
【０１２９】
第１位置は、図８に示すように、係止部１１８が第４壁４３に向かって突出して穴９０に嵌まり、ドラムカートリッジ７に対して廃トナー容器２９が係止した状態である。第２位置は、図９に示すように、係止部１１８が穴９０から抜け、ドラムカートリッジ７に対して廃トナー容器２９が係止していない状態である。
【０１３０】
ボス１１９は、図３に示すように、ロッド９８Ａの他端に位置する。ボス１１９は、着脱方向および軸線方向の両方と交差する方向に延びる。ボス１１９の長さは、図２Ａに示すように、穴１１５の幅よりも長い。
【０１３１】
円環部１２０は、図３に示すように、軸線方向において、外壁１０２Ａと内壁１０３Ａとの間に位置する。円環部１２０は、ロッド９８Ａの周面から突出する。
【０１３２】
ばね１２１は、円環部１２０と内壁１０３Ａとの間に位置する。ばね１２１は、軸線方向に延びるコイルばねである。ばね１２１の一端は、円環部１２０と接触する。ばね１２１の他端は、内壁１０３Ａと接触する。ばね１２１は、ロッド９８Ａを、軸線方向において、ロッド９８Ａの一端に向けて、付勢する。ばね１２１は、係止部１１８が、常には第１位置に位置するように、ロッド９８Ａを付勢する。
【０１３３】
ロッド９８Ｂは、外壁１０２Ｂおよび内壁１０３Ｂに対して、軸線方向に相対移動可能に支持される。ロッド９８Ｂは、ロッド９８Ａと同じ構造である。
【０１３４】
ロッド９８Ｂの係止部１１８は、第２突起の一例である。ロッド９８Ｂの係止部１１８は、軸線方向において、ロッド９８Ａの係止部１１８と間隔を隔てている。
【０１３５】
７．着脱動作
次いで、図７および図８を参照して、ドラムカートリッジ７に対する現像カートリッジ８および廃トナー容器２９の着脱について、説明する。
【０１３６】
現像カートリッジ８および廃トナー容器２９を、ドラムカートリッジ７に対して装着するには、ユーザは、現像カートリッジ８および廃トナー容器２９をドラムカートリッジ７に対して、押し込む。
【０１３７】
すると、現像カートリッジ８では、電極７９の軸受８１が、ドラムカートリッジ７の第１現像ガイド４５に案内される。また、現像カートリッジ８の軸受８２が、ドラムカートリッジ７の第２現像ガイド４６に案内される。
【０１３８】
こうして、現像カートリッジ８は、感光ドラム１７に近づく方向に移動する。
【０１３９】
また、廃トナー容器２９では、図８に示すように、突出部７１の突起３０が、第４壁４３のガイド溝６７に案内される。また、本体部７０の突起３０が、側壁４１Ｂのガイド溝６７に案内される。
【０１４０】
そうすると、ロッド９８Ａの係止部１１８が、側壁４１Ａの第４壁４３の溝８８に案内される。ロッド９８Ａの係止部１１８は、溝８８の穴９０に嵌まり、第１位置に位置する。また、ロッド９８Ｂの係止部１１８が、側壁４１Ｂの溝８８に案内される。ロッド９８Ｂの係止部１１８は、溝８８の穴９０に嵌まり、第１位置に位置する。
【０１４１】
こうして、廃トナー容器２９は、ドラムカートリッジ７に対して、係止される。
【０１４２】
すると、搬送管２２の他端は、図７に示すように、突出部７１の受入筒７６に受け入れられる。搬送管２２の第２端部２２Ｂが第５壁４４から突出する長さが、ガイド溝６７より短いため、搬送管２２の第２端部２２Ｂは、受入筒７６にスムーズに案内される。
【０１４３】
このとき、現像カートリッジ８のシャッタ７３は、搬送管２２に当接し、ドラムカートリッジ７のシャッタ６５は、突出部７１に当接する。さらに押し込むことで、シャッタ７３は、ばね７４の付勢力に抗して、開放位置に位置する。また、シャッタ６５は、ばね６６の付勢力に抗して、開放位置に位置する。
【０１４４】
すると、搬送管２２の排出口６３と、受入筒７６の受入口７７とが向かいあう。これにより、搬送管２２の排出口６３と、受入筒７６の受入口７７とが連通する。
【０１４５】
以上により、ドラムカートリッジ７に対する現像カートリッジ８の装着が完了する。
【０１４６】
なお、このとき、図６に示すように、廃トナー容器２９がドラムカートリッジ７に対して係止されている状態で、ばね３７が廃トナー容器２９と現像カートリッジ８との間に位置することにより、廃トナー容器２９は、現像カートリッジ８を感光ドラム１７に向けて付勢する。
【０１４７】
また、ドラムカートリッジ７から現像カートリッジ８を離脱するには、ユーザは、図９に示すように、第１グリップ１０１と第２グリップ１０７とを一体として把持する。
【０１４８】
このとき、ユーザは、ばね１１０の付勢力に抗して、切替部９７の第２グリップ１０７を固定部９６の第１グリップ１０１に近づける。
【０１４９】
すると、ロッド９８Ａのボス１１９が、壁１０８Ａの傾斜部１１４に乗り上げる。これにより、ロッド９８Ａは、軸線方向において、ばね１２１の付勢力に抗して、側壁４１Ａの第４壁４３から離れる方向に移動する。また、ロッド９８Ｂのボス１１９が、壁１０８Ｂの傾斜部１１４に乗り上げる。これにより、ロッド９８Ｂは、軸線方向において、ばね１２１の付勢力に抗して、側壁４１Ｂから離れる方向に移動する。
【０１５０】
これにより、ロッド９８Ａおよびロッド９８Ｂの係止部１１８は、穴９０から抜ける。
【０１５１】
こうして、係止部１１８が第１位置から第２位置へ移動する。
【０１５２】
このように、切替部９７は、ロッド９８Ａおよびロッド９８Ｂを、第１位置と第２位置とに切り替え可能である。
【０１５３】
そして、ユーザは、図１１に示すように、現像カートリッジ８および廃トナー容器２９をドラムカートリッジ７から引き出す。
【０１５４】
これにより、現像カートリッジ８および廃トナー容器２９がドラムカートリッジ７から離脱される。
【０１５５】
また、廃トナー容器２９の搬送管２２に対する連結が解除されることにより、シャッタ６５は、図４に示すように、ばね６６の付勢力により、閉鎖位置に位置し、排出口６３を閉鎖する。
【０１５６】
また、シャッタ７３は、図２Ｂに示すように、ばね７４の付勢力により、閉鎖位置に位置し、受入口７７を閉鎖する。
【０１５７】
また、図１０に示すように、プロセスカートリッジ３を装置本体２に装着するには、ユーザは、カバー６を開位置に位置させ、開口５を開放する。
【０１５８】
次いで、ユーザは、プロセスカートリッジ３を、開口５を介して、装置本体２に対して、装着する。
【０１５９】
そして、ユーザは、図１に示すように、カバー６を閉位置に位置させる。
【０１６０】
これにより、画像形成装置１は、画像形成動作を実行可能な状態となる。
【０１６１】
また、装置本体２からプロセスカートリッジ３を離脱するには、ユーザは、ハンドル５８を把持して、上記した装着動作と逆に、プロセスカートリッジ３を操作する。
【０１６２】
なお、ユーザは、把持部９４を把持して、装置本体２からプロセスカートリッジ３を離脱することもできる。このとき、ユーザは、切替部９７の第２グリップ１０７を、固定部９６の第１グリップ１０１に近づけないようにして、把持部９４を把持する。
【０１６３】
これにより、係止部１１８が第１位置に位置したままとなり、廃トナー容器２９がドラムカートリッジ７に係止された状態となる。
【０１６４】
このように、ドラムカートリッジ７、現像カートリッジ８および廃トナー容器２９は、係止部１１８が第１位置に位置するときに、装置本体２に対して一体として着脱可能である。廃トナー容器２９は、係止部１１８が第２位置に位置するときに、ドラムカートリッジ７に対して着脱可能である。
【０１６５】
また、現像カートリッジ８は、図１１に示すように、プロセスカートリッジ３が装置本体２に装着されているときであっても、ドラムカートリッジ７に対して着脱可能である。
【０１６６】
８．トナーの除去
画像形成動作において、感光ドラム１７の周面には、転写されずに残ったトナーが付着している場合がある。
【０１６７】
画像形成動作において、感光ドラム１７の周面に残存したトナーは、図６および図７に示すように、感光ドラム１７が回転することにより、クリーナ２１のクリーニング部材５１によって掻き取られる。掻き取られたトナーは、クリーニングフレーム５０内に貯留される。
【０１６８】
クリーニングフレーム５０内に貯留されたトナーは、搬送部材５３が回転することにより、クリーニングフレーム５０から搬送管２２へ搬送される。搬送管２２に搬送されたトナーは、廃トナー容器２９に向かって搬送される。
【０１６９】
搬送管２２の他端まで搬送されたトナーは、排出口６３、および、受入筒７６の受入口７７を介して、突出部７１内に流入する。
【０１７０】
こうして、トナーは、廃トナー容器２９に貯められる。
【０１７１】
このように、廃トナー容器２９は、搬送管２２により搬送されたトナーを収容する。
【０１７２】
以上により、トナーの搬送が完了する。
【０１７３】
９．作用効果
（１）このプロセスカートリッジ３によれば、図１および図６に示すように、廃トナー容器２９は、現像カートリッジ８および廃トナー容器２９がドラムカートリッジ７に装着されているときに、現像カートリッジ８に対して感光ドラム１７側ではなく、現像カートリッジ８に対して感光ドラム１７の反対側に位置する。
【０１７４】
そのため、用紙Ｐに画像を形成するための機能部品が、現像カートリッジ８に対して感光ドラム１７側に位置することができながら、廃トナー容器２９の容量が確保される。
【０１７５】
その結果、廃トナー容器２９は、感光ドラム１７の周面から除去されたトナーを十分に収容することができる。
【０１７６】
（２）このプロセスカートリッジ３によれば、図８および図１０に示すように、廃トナー容器２９の係止部１１８が第１位置に位置することで、廃トナー容器２９だけでなく、現像カートリッジ８も、ドラムカートリッジ７とともに、画像形成装置１に対して一体として着脱可能となる。
【０１７７】
一方、図９および図１１に示すように、係止部１１８が第２位置に位置することで、ドラムカートリッジ７に対して廃トナー容器２９が着脱可能となる。
【０１７８】
そのため、ユーザは、廃トナー容器２９の係止部１１８を第１位置と第２位置とに切り替えることで、廃トナー容器２９、現像カートリッジ８およびドラムカートリッジ７の着脱と、廃トナー容器２９および現像カートリッジ８のみの着脱とを選択することができる。
【０１７９】
（３）このプロセスカートリッジ３によれば、図８に示すように、ロッド９８Ａおよびロッド９８Ｂの係止部１１８は、溝８８に嵌まるという簡易な構成により、第１位置に位置することができる。
【０１８０】
（４）このプロセスカートリッジ３によれば、図８および図９に示すように、ユーザは、切替部９７を操作するという簡易な動作により、係止部１１８の第１位置と第２位置とを切り替えることができる。
【０１８１】
（５）このプロセスカートリッジ３によれば、図８および図９に示すように、切替部９７が把持部９４に備えられるので、ユーザは、把持部９４を把持するという動作と同時に、切替部９７を操作することができる。
【０１８２】
（６）このプロセスカートリッジ３によれば、図８に示すように、ロッド９８Ａの係止部１１８、および、ロッド９８Ｂの係止部１１８の両方が第１位置に位置することにより、廃トナー容器２９は、ドラムカートリッジ７に対して、確実に係止される。
【０１８３】
（７）このプロセスカートリッジ３によれば、図６に示すように、現像カートリッジ８が、廃トナー容器２９のばね３７によって、感光ドラム１７に向けて押圧されることにより、現像ローラ２５は、感光ドラム１７に対して、トナーを確実に供給することができる。
【０１８４】
（８）このプロセスカートリッジ３によれば、図６に示すように、ばね３７が現像カートリッジ８を押圧するという簡易な構成により、現像カートリッジ８は、感光ドラム１７に向けて押圧される。
【０１８５】
（９）このプロセスカートリッジ３によれば、図１１に示すように、ドラムカートリッジ７に対する現像カートリッジ８および廃トナー容器２９の着脱方向と、搬送管２２の延びる方向とは、同一方向である。
【０１８６】
そのため、ドラムカートリッジ７に対する廃トナー容器２９の装着にあわせて、搬送管２２と、廃トナー容器２９とが、確実に接続される。
【０１８７】
（１０）このプロセスカートリッジ３によれば、図８に示すように、廃トナー容器２９は、本体部７０だけでなく、軸線方向において、第１壁２８Ａに対して、感光層１７Ｃと反対側に位置する突出部７１を有している。
【０１８８】
そのため、廃トナー容器２９は、トナーをより十分に収容することができる。
【０１８９】
（１１）このプロセスカートリッジ３によれば、図７および図８に示すように、ドラムカートリッジ７に対する廃トナー容器２９の装着時に、搬送管２２は、突出部７１と接続される。
【０１９０】
そのため、搬送管２２は、廃トナー容器２９に対して、確実に接続される。
【０１９１】
（１２）このプロセスカートリッジ３によれば、図８に示すように、現像カートリッジ８の電気接点８０は、現像カートリッジ８がドラムカートリッジ７に装着されているときに、軸線方向において、搬送管２２に対して、第１壁２８Ａの反対側に位置する。
【０１９２】
そのため、電気接点８０は、外部からの電力を確実に受け取ることができる。
【０１９３】
（１３）このプロセスカートリッジ３によれば、図７および図８に示すように、廃トナー容器２９の突出部７１が、装着方向において、第５壁４４と向かい合うことによって位置決めされるので、廃トナー容器２９の装着方向への移動が抑制される。
【０１９４】
そのため、廃トナー容器２９は、トナーを、搬送管２２から確実に受け取り、収容することができる。
【０１９５】
（１４）この画像形成装置１によれば、図１に示すように、廃トナー容器２９は、装着方向において、感光ドラム１７に対して、定着器３３の反対側に位置するので、定着器３３が感光ドラム１７の近くに位置することができながら、廃トナー容器２９の容量が確保される。
【０１９６】
そのため、廃トナー容器２９は、より多くのトナーを収容することができる。
【０１９７】
１０．第２実施形態
上記した第１実施形態では、図６および図７に示すように、感光ドラム１７の周面から除去されたトナーは、螺旋状を有する搬送部材５３によって、廃トナー容器２９に搬送される。
【０１９８】
対して、感光ドラム１７の周面から除去されたトナーを廃トナー容器２９に搬送する方法は、上記した実施形態に限定されない。
【０１９９】
例えば、図１２に示すように、第２実施形態におけるドラムカートリッジ７は、搬送部材５３に代えて、第１オーガスクリュー１３１と、第２オーガスクリュー１３２と、を備える。また、第２実施形態における搬送管２２は、第１管１３４と、第２管１３５と、を備える。
【０２００】
第１管１３４は、着脱方向と軸線方向の両方と交差する方向に延びる。好ましくは、第１管１３４は、上下方向に延びる。第１管１３４の一端部は、側壁４１Ａと接続され、クリーニングフレーム５０と連通する。また、第１管１３４における一端部と反対側の他端部は、クリーナ２１に対して、一端部より遠くに位置する。好ましくは、第１管１３４の他端部は、一端部よりも下方に位置する。
【０２０１】
第２管１３５は、第１管１３４の他端部と接続される。第２管１３５は、第１管１３４の他端部から、着脱方向に沿って、突出部７１の受入筒７６まで延びる。第２管１３５は、略直線形状の管である。第２管１３５は、上記した実施形態と同様に、排出口６３を有する。
【０２０２】
第１オーガスクリュー１３１は、クリーニングフレーム５０の内部に位置する。第１オーガスクリュー１３１は、軸線方向に延びる。
【０２０３】
第２オーガスクリュー１３２は、第２管１３５の内部に位置する。着脱方向における第２オーガスクリュー１３２の一端部は、第１管１３４の他端部と向かい合う。第２オーガスクリュー１３２の他端部は、排出口６３と向かい合う。
【０２０４】
そして、感光ドラム１７の表面から掻き取られ、クリーニングフレーム５０内に貯留されたトナーは、第１オーガスクリュー１３１によって、第１管１３４に向けて搬送される。
【０２０５】
第１管１３４に搬送されたトナーは、第１管１３４内を落下し、第２管１３５内に流入する。
【０２０６】
第２管１３５内に流入したトナーは、第２オーガスクリュー１３２によって、廃トナー容器２９の突出部７１に向けて搬送される。
【０２０７】
こうして、突出部７１に搬送されたトナーは、廃トナー容器２９内に貯められる。
【０２０８】
このような第２実施形態においても、上記した実施形態と同様の作用効果を得ることができる。
【０２０９】
１１．第３実施形態
上記した第２実施形態では、図１２に示すように、第２オーガスクリュー１３２が、搬送管２２内のトナーを搬送するが、搬送管２２の第２管１３５内のトナーを搬送する方法は、第２オーガスクリュー１３２に限定されない。
【０２１０】
例えば、図１３に示すように、第３実施形態におけるドラムカートリッジ７は、第２オーガスクリュー１３２に代えて、ベルト１３９と、ベルトローラ１４０と、を備える。
【０２１１】
ベルト１３９は、第２管１３５内に位置する。ベルト１３９は、第２管１３５の着脱方向全域にわたって延びる。ベルト１３９は、排出口６３と向かい合う。
【０２１２】
ベルトローラ１４０は、ベルト１３９の内側に位置する。ベルトローラ１４０は、図示しない外部の駆動力を受けて、ベルト１３９を回転駆動する。
【０２１３】
そして、第１管１３４から第２管１３５に流入したトナーは、ベルト１３９によって、廃トナー容器２９の突出部７１に向けて搬送される。
【０２１４】
このような第３実施形態においても、上記した実施形態と同様の作用効果を得ることができる。
【０２１５】
１２．第４実施形態
上記した第１実施形態では、図７に示すように、搬送管２２は、着脱方向に延びる。対して、第４実施形態の搬送管２２は、図１４に示すように、側壁４１Ａの第１現像ガイド４５に沿って延びる。
【０２１６】
具体的には、搬送管２２は、側壁４１Ａにおける第１現像ガイド４５が形成される端縁に沿って延びる。
【０２１７】
この第４実施形態によれば、ドラムカートリッジ７に対して現像カートリッジ８を装着するときに、第１現像ガイド４５および搬送管２２が、軸受８１をガイドする。
【０２１８】
そのため、現像カートリッジ８をドラムカートリッジ７により確実に装着することができる。
【０２１９】
１３．第５実施形態
上記した第１実施形態では、図３に示すように、電極７９の電気接点８０は、現像カートリッジ８の第１壁２８Ａに設けられる。
【０２２０】
対して、第５実施形態における電気接点８０は、図１５に示すように、廃トナー容器２９に設けられる。具体的には、電気接点８０は、廃トナー容器２９の突出部７１に設けられる。電気接点８０は、軸線方向において、突出部７１よりも突出する。
【０２２１】
そして、電気接点８０と軸受８１とは、ばね３７を介して電気的に接続されている。言い換えると、外部からの電力は、ばね３７を介して、現像ローラ２５に給電される。
【０２２２】
この第５実施形態によれば、電気接点８０が上記した第１実施形態のように、固定されていない現像カートリッジ８に設けられている場合と比較して、電気接点８０が、ドラムカートリッジ７に装着され、固定された状態にある廃トナー容器２９に設けられているため、外部からの電力を確実に受け取ることができる。
【０２２３】
１４．変形例
上記したプロセスカートリッジ３は、本発明のプロセスカートリッジの一実施形態であり、本発明は、上記した実施形態に限定されない。
【０２２４】
上記した実施形態では、ばね３７は、廃トナー容器２９に備えられるが、現像カートリッジ８に備えられていてもよい。この場合、ばね３７が、廃トナー容器２９に押し当てられ、ばね３７の反発力で、現像カートリッジ８が感光ドラム１７に押し当てられる。
【０２２５】
また、上記した実施形態では、廃トナー容器２９は、現像カートリッジ８に対して、突出部３１を支点として、回動可能に接続されているが、廃トナー容器２９が現像カートリッジ８に接続されていなくてもよい。現像カートリッジ８と廃トナー容器２９とは、ドラムカートリッジ７に対して、別々に装着されてもよい。この場合、ドラムカートリッジ７に対して、現像カートリッジ８が装着された状態で、廃トナー容器２９が着脱できる。また、ドラムカートリッジ７に対して、廃トナー容器２９が装着された状態で、現像カートリッジ８が着脱できる。
【符号の説明】
【０２２６】
１      画像形成装置
２      装置本体
３      プロセスカートリッジ
５      開口
７      ドラムカートリッジ
８      現像カートリッジ
１７    感光ドラム
１７Ｃ  感光層
２１    クリーナ
２２    搬送管
２５    現像ローラ
２８Ａ  第１壁
２８Ｂ  第２壁
２９    廃トナー容器
３３    定着器
３７    ばね
４２    第３壁
４３    第４壁
４４    第５壁
４５    第１現像ガイド
４６    第２現像ガイド
５７    搬送ローラ
７０    本体部
７１    突出部
８０    電気接点
８８    溝
９４    把持部
９７    切替部
１１８  係止部
【図１】
0006724495.tif 000002
【図２】
0006724495.tif 000003
【図３】
0006724495.tif 000004
【図４】
0006724495.tif 000005
【図５】
0006724495.tif 000006
【図６】
0006724495.tif 000007
【図７】
0006724495.tif 000008
【図８】
0006724495.tif 000009
【図９】
0006724495.tif 000010
【図１０】
0006724495.tif 000011
【図１１】
0006724495.tif 000012
【図１２】
0006724495.tif 000013
【図１３】
0006724495.tif 000014
【図１４】
0006724495.tif 000015
【図１５】
0006724495.tif 000016